(57)【要約】　　　（修正有）【課題】大衆化された脆弱性保険を、広くすばやく提供し、脆弱性の有無・原因について、その後の製品やサービスの開発・提供に関して、参考となる情報を生成する。【解決手段】契約者または契約希望者から、あるいは直接調査により、入力情報を入手し、脆弱度を判定・数値化し、保険金額を決定し、大衆化された脆弱性保険を、広くすばやく提供し、脆弱性の有無・原因について、その後の製品やサービスの開発・提供に関して、参考となる情報を生成する。【選択図】なし【特許請求の範囲】
【請求項１】
インターネットまたは他媒体手段により、利用申込者からの保険申し込みを受け付ける。
申し込み時に、利用申込者自身の個別情報・脆弱性対策（以下、入力情報１とする）などを開示してもらう。
利用申し込み内容にそって、提示できる保険を、ブラックボックス１を入力として、マス・カスタマイズ仮生成（以下、成果物１とする）しておく。成果物１とは、利用申込者の要望事項にそのままそった形での保険内容であり、これを仮決定とする。もし決定できない要素がある場合は、該当箇所を外して、決定できる範囲内で決定する。この時、決定・採択しきれなかった内容は、新たなる保険設定のための参考情報とするためのデータベース１（以下、成果物２とも表現する）に格納する。
【請求項２】
その後、申し込み時点での最新の外部のセキュリティ情報（以下、入力情報２とする）を取り込み、利用申込者のコンピュータ機器等（以下、調査対象物１とする）への外部調査を行う。この調査結果を成果物３とする。
【請求項３】
調査対象物とは、
成果物３の調査結果をもとにして、ブラックボックス２を入力として脆弱性を算出し、数値・ランキング・コメントを出力する。（以下、成果物４とする）
成果物３および、成果物４をデータベース２に格納する。
成果物３、４の情報は、契約期間または利用申込者が希望し、保険会社が承認する一定期間の間、繰り返し調査を行なって、情報更新するものとする。
成果物４の算出結果をもとに、成果物１として仮生成しておいた提示できる保険を生成し（以下、成果物５とする）、その後、ブラックボックス３を入力として、保険料を計算する。（以下、成果物６とする）
【請求項４】
成果物５と成果物６を、利用申込者および、保険会社に通知する。（以下、通知情報１とする）
成果物５と成果物６を、データベース３に保存する。
【請求項５】
利用申込者が別の保険内容又は、保険範囲を指定（以下、入力情報２とする）したら、成果物４をもとにして再計算を行い、保険の適用可否・範囲・保険料を算出（以下、成果物７とする）して、利用申込者および、保険会社に通知する。（以下、通知情報２とする）。又、入力情報２と成果物７をデータベース３に格納する。
【請求項６】
入力情報１，２や成果物１，２，３，４，５，６，７やブラックボックス１，２，３を入力として分析し、契約にするにあたり、適当にあらざる場合は、利用申込者の申し込みを一部または全部を拒絶する。拒絶情報（以下、成果物８とする）はデータベース４に保存する。
【請求項７】
保険契約後に発見された、あるいは届出のあった情報を分析することにより、保険担保範囲およびその内容に変化があった場合は、これ（以下、成果物９とする）をデータベース５に保存し、契約者関係者に通知する。
【請求項８】
保険金額の請求に伴い、提出された情報ならびに、提出された情報を参考にして調査を行なった結果（以下、成果物１０とする）は、データベース６に保存する。
【請求項９】
データベース１，２，３、４，５，６や成果物１，２，３，４，５，６，７、８，９，１０やブラックボックス１，２，３を入力として、既存の保険の拡張改定および新たなる保険を考案する。
新たなる保険で、それまでの従来の保険では取りこぼしていた保障内容が含まれている場合、それらの既契約済み保険契約者に対し、付加可能案内を通知し、付加希望者には新たなる保険を付加追加する。（以下、通知情報３とする）
【請求項１０】
データベース１，２，３、４，５，６や成果物１，２，３，４，５，６，７、８，９，１０やブラックボックス４を入力として、契約申込者が利用している機器、ソフトウエア、使用方針、体制、その他利用環境すべてにおいての脆弱性を、個々の構成単位、あるいは組み合わせ単位で、数値化し、その結果（以下、成果物１１とする）をデータベース７に保存する。
成果物１１を元に、カテゴリ別に順位あるいは順位グループを決定し、その結果（以下、成果物１２とする）をデータベース８に保存する。
成果物１１，１２を元に、利用申込者別あるいは契約者別の順位あるいは順位グループを決定し、その結果をデータベース９に保存する。
データベース７，８，９をそれぞれ単独で、あるいは組み合わせての商材とする。
【請求項１１】
利用者から、保険金請求を受けた場合、すべての入力情報が保険契約時と差異がないことを確認した上で、問題がなければ保険金を支払う。問題があれば差異の大小をブラックボックス５に入力し、その結果（以下、成果物１３とする）をもとに、保険金支払いを決定する。
【請求項１２】
利用者から、契約更新を受けた場合、それまでの全成果物を参考にしながら、
請求項１に戻る。
【請求項１３】
利用者から、その他の依頼・申し立てを受けた場合、それまでの全成果物を参考にしながら、
請求項２に戻る。
【請求項１４】
この保険の販売に際し、元受保険会社の直接販売、あるいは取次店、あるいは代理店を利用する。
−−−−−−−−−−−−−−−−−−−
【発明の詳細な説明】
【０００１】
【発明が属する技術分野】
本発明は、ビジネス方法の特許に関するものである。
本発明は、特に明示しない限り、コンピュータやネットワークを活用して実現される。
【０００２】
【従来の技術】
脆弱性保険は存在するが、受付のみ様々な手段で行なわれるが、高価で複雑な契約となっており、大衆化を実現しているとは言いがたい。
【０００３】
【課題を解決するための手段】
インターネットまたは他媒体手段により、利用申込者からの保険申し込みを受け付ける。
【０００４】
申し込み時に、利用申込者自身の個別情報・脆弱性対策（以下、入力情報１とする）などを開示してもらう。
【０００５】
利用申し込み内容にそって、提示できる保険を、ブラックボックス１を入力として、マス・カスタマイズ仮生成（以下、成果物１とする）しておく。成果物１とは、利用申込者の要望事項にそのままそった形での保険内容であり、これを仮決定とする。もし決定できない要素がある場合は、該当箇所を外して、決定できる範囲内で決定する。この時、決定・採択しきれなかった内容は、新たなる保険設定のための参考情報とするためのデータベース１（以下、成果物２とも表現する）に格納する。
【０００６】
その後、申し込み時点での最新の外部のセキュリティ情報（以下、入力情報２とする）を取り込み、利用申込者のコンピュータ機器等（以下、調査対象物１とする）への外部調査を行う。この調査結果を成果物３とする。
【０００７】
調査対象物とは、
【０００８】
成果物３の調査結果をもとにして、ブラックボックス２を入力として脆弱性を算出し、数値・ランキング・コメントを出力する。（以下、成果物４とする）
【０００９】
成果物３および、成果物４をデータベース２に格納する。
【００１０】
成果物３、４の情報は、契約期間または利用申込者が希望し、保険会社が承認する一定期間の間、繰り返し調査を行なって、情報更新するものとする。
【００１１】
成果物４の算出結果をもとに、成果物１として仮生成しておいた提示できる保険を生成し（以下、成果物５とする）、その後、ブラックボックス３を入力として、保険料を計算する。（以下、成果物６とする）
【００１２】
成果物５と成果物６を、利用申込者および、保険会社に通知する。（以下、通知情報１とする）
【００１３】
成果物５と成果物６を、データベース３に保存する。
【００１４】
利用申込者が別の保険内容又は、保険範囲を指定（以下、入力情報２とする）したら、成果物４をもとにして再計算を行い、保険の適用可否・範囲・保険料を算出（以下、成果物７とする）して、利用申込者および、保険会社に通知する。（以下、通知情報２とする）。又、入力情報２と成果物７をデータベース３に格納する。
【００１５】
入力情報１，２や成果物１，２，３，４，５，６，７やブラックボックス１，２，３を入力として分析し、契約にするにあたり、適当にあらざる場合は、利用申込者の申し込みを一部または全部を拒絶する。拒絶情報（以下、成果物８とする）はデータベース４に保存する。
【００１６】
保険契約後に発見された、あるいは届出のあった情報を分析することにより、保険担保範囲およびその内容に変化があった場合は、これ（以下、成果物９とする）をデータベース５に保存し、契約者関係者に通知する。
【００１７】
保険金額の請求に伴い、提出された情報ならびに、提出された情報を参考にして調査を行なった結果（以下、成果物１０とする）は、データベース６に保存する。
【００１８】
データベース１，２，３、４，５，６や成果物１，２，３，４，５，６，７、８，９，１０やブラックボックス１，２，３を入力として、既存の保険の拡張改定および新たなる保険を考案する。
【００１９】
新たなる保険で、それまでの従来の保険では取りこぼしていた保障内容が含まれている場合、それらの既契約済み保険契約者に対し、付加可能案内を通知し、付加希望者には新たなる保険を付加追加する。（以下、通知情報３とする）
【００２０】
データベース１，２，３、４，５，６や成果物１，２，３，４，５，６，７、８，９，１０やブラックボックス４を入力として、契約申込者が利用している機器、ソフトウエア、使用方針、体制、その他利用環境すべてにおいての脆弱性を、個々の構成単位、あるいは組み合わせ単位で、数値化し、その結果（以下、成果物１１とする）をデータベース７に保存する。
【００２１】
成果物１１を元に、カテゴリ別に順位あるいは順位グループを決定し、その結果（以下、成果物１２とする）をデータベース８に保存する。
【００２２】
成果物１１，１２を元に、利用申込者別あるいは契約者別の順位あるいは順位グループを決定し、その結果をデータベース９に保存する。
【００２３】
データベース７，８，９をそれぞれ単独で、あるいは組み合わせての商材とする。
【００２４】
全成果物、全データベースを入力として、全ブラックボックスを更新する。
【００２５】
利用者から、保険金請求を受けた場合、すべての入力情報が保険契約時と差異がないことを確認した上で、問題がなければ保険金を支払う。問題があれば差異の大小をブラックボックス５に入力し、その結果（以下、成果物１３とする）をもとに、保険金支払いを決定する。
【００２６】
利用者から、契約更新を受けた場合、それまでの全成果物を参考にしながら、
段落番号４に戻る。
【００２７】
利用者から、その他の依頼・申し立てを受けた場合、それまでの全成果物を参考にしながら、
段落番号５に戻る。
【００２８】
この保険の販売に際し、元受保険会社の直接販売、あるいは取次店、あるいは代理店を利用する。
【００２９】
【発明の属する技術分野】
脆弱性保険の設計・販売に関する。
【００３０】
【従来の技術】
これまでの脆弱性保険は、保険内容および料金算定にあたり、その適用基準があいまいであり、算定に時間がかかり、かつ保険料は大変高額である。
【００３１】
【発明の効果】
大衆化された脆弱性保険の提供により、利用者は環境変化の激しい世界で事業を行なうにあたり、事業遂行にあたって発生する損害を保険により補填できる仕組みを実現する。
【手続補正書】
【提出日】平成14年9月6日(2002.9.6)
【手続補正１】
【補正対象書類名】明細書
【補正対象項目名】請求項５
【補正方法】変更
【補正の内容】
【請求項５】
利用申込者が別の保険内容又は、保険範囲を指定（以下、入力情報３とする）したら、成果物４をもとにして再計算を行い、保険の適用可否・範囲・保険料を算出（以下、成果物７とする）して、利用申込者および、保険会社に通知する。（以下、通知情報２とする）。又、入力情報３と成果物７をデータベース３に格納する。